(57)【要約】【課題】電流センサの出力値の補正の精度を向上させること。【解決手段】ＡＣ／ＤＣコンバータ２０１と、ＬＡＮ給電受電部２０３と、ＡＣ／ＤＣコンバータ２０１又はＬＡＮ給電受電部２０３から電力を供給され、商用電源から供給される電流を検知する電流センサ３０１と、ＡＣ／ＤＣコンバータ２０１又はＬＡＮ給電受電部２０３から電力を供給され、電流センサ３０１による検知結果に基づいて、電流の実効値を決定するマイクロコンピュータ３０３と、電流センサ３０１とＡＣ／ＤＣコンバータ２０１の間に設けられたリレースイッチ３０４と、を備え、マイクロコンピュータ３０３は、ＬＡＮ給電受電部２０３から電力が供給されている場合に、リレースイッチ３０４を遮断状態にしてから電流センサ３０１による検知を行って、電流センサ３０１による検知結果に基づき被検知電流がゼロのときのオフセット電圧を決定する。【選択図】図２
2014206485.tif 000002
【特許請求の範囲】
【請求項１】
交流電源の交流電圧を直流電圧に変換する変換手段と、
情報の送受信を行うネットワークに接続するためのケーブルを介して電力を受電する受電手段と、
前記変換手段又は前記受電手段から電力を供給され、前記交流電源から供給される電流を検知する電流検知手段と、
前記変換手段又は前記受電手段から電力を供給され、前記電流検知手段による検知結果に基づいて、前記交流電源から供給される電流の実効値を決定する決定手段と、
前記電流検知手段と前記変換手段の間に設けられたスイッチ手段と、
を備え、
前記決定手段は、前記受電手段から電力が供給されている場合に、前記スイッチ手段を遮断状態にしてから前記電流検知手段による検知を行って、前記電流検知手段による検知結果に基づき被検知電流がゼロのときのオフセット電圧を決定することを特徴とする電源装置。
【請求項２】
前記決定手段により決定された前記オフセット電圧を記憶する記憶手段を備えることを特徴とする請求項１に記載の電源装置。
【請求項３】
前記決定手段は、前記受電手段から電力が供給されていない場合には、前記記憶手段に記憶された前記オフセット電圧を用いて、前記実効値を決定することを特徴とする請求項２に記載の電源装置。
【請求項４】
前記決定手段は、前記ケーブルが前記ネットワークに接続されている場合に、前記受電手段から電力が供給されていると判断することを特徴とする請求項１乃至３のいずれか１項に記載の電源装置。
【請求項５】
前記決定手段は、前記受電手段から出力される電圧に基づいて、前記受電手段から電力が供給されていると判断することを特徴とする請求項１乃至３のいずれか１項に記載の電源装置。
【請求項６】
交流電源の電圧を検知する電圧検知手段を備え、
前記決定手段は、前記電流検知手段による検知結果と前記電圧検知手段による検知結果とに基づいて、消費電力を決定することを特徴とする請求項１乃至５のいずれか１項に電源装置。
【請求項７】
前記決定手段は、装置の電源が投入された際に、前記オフセット電圧の決定を行うことを特徴とする請求項１乃至６のいずれか１項に記載の電源装置。
【請求項８】
交流電源の交流電圧を直流電圧に変換する変換手段と、
情報の送受信を行うネットワークに接続するためのケーブルを介して電力を受電する受電手段と、
前記変換手段又は前記受電手段から電力を供給され、前記交流電源から供給される電流を検知する電流検知手段と、
前記変換手段又は前記受電手段から電力を供給され、前記電流検知手段による検知結果に基づいて、前記交流電源から供給される電流の実効値を決定する決定手段と、
前記電流検知手段と前記変換手段の間に設けられたスイッチ手段と、
を備え、
前記決定手段は、前記受電手段から電力が供給されている場合に、前記スイッチ手段を遮断状態にしてから前記電流検知手段による検知を行って、前記電流検知手段による検知結果に基づき被検知電流がゼロのときのオフセット電圧を決定することを特徴とする画像形成装置。
【請求項９】
前記決定手段により決定された前記オフセット電圧を記憶する記憶手段を備えることを特徴とする請求項８に記載の画像形成装置。
【請求項１０】
前記決定手段は、前記受電手段から電力が供給されていない場合には、前記記憶手段に記憶された前記オフセット電圧を用いて、前記実効値を決定することを特徴とする請求項９に記載の画像形成装置。
【請求項１１】
前記決定手段は、前記ケーブルが前記ネットワークに接続されている場合に、前記受電手段から電力が供給されていると判断することを特徴とする請求項８乃至１０のいずれか１項に記載の画像形成装置。
【請求項１２】
前記ケーブルが前記ネットワークに接続されていることを確認するためのコマンドを発行する発行手段を備え、
前記決定手段は、前記発行手段により発行されたコマンドへの応答があった場合に、前記ケーブルが前記ネットワークに接続されていると判断することを特徴とする請求項１１に記載の画像形成装置。
【請求項１３】
前記決定手段は、前記受電手段から出力される電圧に基づいて、前記受電手段から電力が供給されていると判断することを特徴とする請求項８乃至１０のいずれか１項に記載の画像形成装置。
【請求項１４】
交流電源の電圧を検知する電圧検知手段を備え、
前記決定手段は、前記電流検知手段による検知結果と前記電圧検知手段による検知結果とに基づいて、消費電力を決定することを特徴とする請求項８乃至１３のいずれか１項に画像形成装置。
【請求項１５】
前記決定手段は、装置の電源が投入された際に、前記オフセット電圧の決定を行うことを特徴とする請求項８乃至１４のいずれか１項に記載の画像形成装置。
【発明の詳細な説明】
【技術分野】
【０００１】
本発明は、消費電流を検知する電流センサを備えた電源装置及び画像形成装置に関する。
【背景技術】
【０００２】
近年、電気機器の消費電流や消費電力をその機器自体で監視するシステム構成が提案されている。例えば、検知した消費量を表示部に表示してユーザーに節電を促したり、複数の機器の電力消費状況を監視制御するマネージメントシステムに消費量データを送信して、統合的な電力消費制御監視網を形成したりすることが行われている。消費電流を検知する手段として、ホール素子等で構成された電流センサがあげられる。例えば、電流センサは、検知した電流を電圧に換算してマイクロコンピュータ等に出力し、マイクロコンピュータ等は、入力された電圧をＡ／Ｄ変換した後、実効値演算を行う構成がある。マイクロコンピュータ等により演算される実効値の精度を上げるためには、被検知電流が０Ａのときの出力電圧である電流センサのオフセット電圧の管理が必要となる。
【０００３】
ここで、マイクロコンピュータでのＡ／Ｄ変換のリファレンス電圧は、電源電圧と同じ電圧値である。電流センサが出力する被検知電流が０Ａのときの出力電圧は、マイクロコンピュータの接地レベルとリファレンス電圧の中間の値に設定され、理想的にはリファレンス電圧の１／２の値となる。例えば、リファレンス電圧である電源電圧が５Ｖとして、感度が１００ｍＶ／Ａの電流センサを考えた場合の、電流センサの被検知電流と出力電圧の理想的な関係を図７に示す。図７は、横軸が被検知電流Ｉｏｕｔ（Ａ；アンペア）、縦軸が出力電圧Ｖｏｕｔ（Ｖ；ボルト）であり、実線が理想的な関係を示している。図７に示すように、被検知電流が０Ａのときには、電流センサは２．５Ｖを出力することが理想である。理想的な場合の電流センサは、被検知電流が＋２０Ａのときに４．５Ｖを出力し、被検知電流が−２０Ａのときに０．５Ｖを出力する。このように、電流センサの出力電圧値は、流れる電流の大きさと向きによって図７に示すように変化する。
【０００４】
しかしながら、実際には温度等の環境変化やセンサを構成する部品の特性のばらつきにより、誤差（オフセット値）が出る場合があるため、例えば図７に破線で示すように、被検知電流が０Ａであっても、出力電圧は２．５Ｖからずれることがある。
【０００５】
このように、電流センサの出力電圧に誤差（オフセット値）が生じると、マイクロコンピュータによる電流実効値の演算結果にも誤差が生じてしまう。このため、電流センサのオフセット電圧の補正が必要となる。そして、電流センサのオフセット電圧の補正を精度よく行うためには、電流センサに流れる電流が０Ａである必要がある。電流センサの被検知電流が０Ａのときの誤差を補正する構成としては、次のような手法が開示されている。例えば特許文献１では、負荷が全てオフ状態のときバッテリの充放電電流は流れていないと判断し、そのときの電流センサの出力値を被検知電流が０Ａであると認識し、この値に基づいて電流センサの検知電流値を補正する構成が開示されている。また、例えば特許文献２では、所定の負荷状態から推測できるバッテリの放電電流値と電流センサの検知電流値とを比較し、比較結果に基づいて被検知電流が０Ａのときの出力電圧値の補正を行う構成が開示されている。
【先行技術文献】
【特許文献】
【０００６】
【特許文献１】特開２００４−３２５２３５号公報
【特許文献２】特開２００７−０５７４２２号公報
【発明の概要】
【発明が解決しようとする課題】
【０００７】
しかしながら、従来の構成では、次のような課題がある。例えば特許文献１では、負荷状態が全てオフの状態でもわずかながら電流が流れているために、補正の精度が下がるおそれがある。また、例えば特許文献２では、温度特性や環境などで被検知電流が０Ａのときの出力電圧値が変化するために、精度が下がる可能性がある。
【０００８】
本発明は、このような状況のもとでなされたもので、電流センサの出力値の補正の精度を向上させることを目的とする。
【課題を解決するための手段】
【０００９】
上述の課題を解決するために、本発明は、以下の構成を備える。
【００１０】
（１）交流電源の交流電圧を直流電圧に変換する変換手段と、情報の送受信を行うネットワークに接続するためのケーブルを介して電力を受電する受電手段と、前記変換手段又は前記受電手段から電力を供給され、前記交流電源から供給される電流を検知する電流検知手段と、前記変換手段又は前記受電手段から電力を供給され、前記電流検知手段による検知結果に基づいて、前記交流電源から供給される電流の実効値を決定する決定手段と、前記電流検知手段と前記変換手段の間に設けられたスイッチ手段と、を備え、前記決定手段は、前記受電手段から電力が供給されている場合に、前記スイッチ手段を遮断状態にしてから前記電流検知手段による検知を行って、前記電流検知手段による検知結果に基づき被検知電流がゼロのときのオフセット電圧を決定することを特徴とする電源装置。
【００１１】
（２）交流電源の交流電圧を直流電圧に変換する変換手段と、情報の送受信を行うネットワークに接続するためのケーブルを介して電力を受電する受電手段と、前記変換手段又は前記受電手段から電力を供給され、前記交流電源から供給される電流を検知する電流検知手段と、前記変換手段又は前記受電手段から電力を供給され、前記電流検知手段による検知結果に基づいて、前記交流電源から供給される電流の実効値を決定する決定手段と、前記電流検知手段と前記変換手段の間に設けられたスイッチ手段と、を備え、前記決定手段は、前記受電手段から電力が供給されている場合に、前記スイッチ手段を遮断状態にしてから前記電流検知手段による検知を行って、前記電流検知手段による検知結果に基づき被検知電流がゼロのときのオフセット電圧を決定することを特徴とする画像形成装置。
【発明の効果】
【００１２】
本発明によれば、電流センサの出力値の補正の精度を向上させることができる。
【図面の簡単な説明】
【００１３】
【図１】実施例１、２の画像形成装置の構成を示す図
【図２】実施例１の電力供給部と電力計の構成を示す図
【図３】実施例１の電流実効値の演算の考え方を示す図
【図４】実施例１の電流センサのオフセット値の補正処理を説明するフローチャート
【図５】実施例２の電力供給部と電力計の構成を示す図
【図６】実施例２の電流センサのオフセット値の補正処理を説明するフローチャート
【図７】電流センサの被検知電流に対する出力特性を示すグラフ
【発明を実施するための形態】
【００１４】
以下、本発明を実施するための形態を、実施例により図面を参照しながら詳しく説明する。
【実施例１】
【００１５】
［画像形成装置の構成］
実施例１の電子写真プロセスのカラー画像形成装置の構成を図１に示す。本実施例の画像形成装置は、プリンタ部９００、コントローラ部１０７、電力供給部２００、電力計３００及び電源スイッチ４００により構成される。電源スイッチ４００は、ユーザーにより画像形成装置の電源のオン、オフが行われるスイッチである。電力供給部２００は、プリンタ部９００とコントローラ部１０７に電力を供給している。尚、以降、電力を供給することを給電という。画像形成装置の外部インターフェースとしては、ネットワーク回線用インターフェースであるＬＡＮボード７（以下、単にＬＡＮ７とする）を有しており、画像形成装置は、ＬＡＮ７を介して公衆回線８と接続されている。ＬＡＮ７は、公衆回線８との間の情報データの送受信に用いられる。更に、本実施例では、ＩＥＥＥ８０２．３ａｆで標準化されたＰｏｗｅｒ  ｏｖｅｒ  Ｅｔｈｅｒｎｅｔ（登録商標）（以下、ＰｏＥとする）技術を用い、ネットワークに接続するためのケーブルであるＬＡＮケーブルを介して画像形成装置への給電も行われている。これにより本実施例の画像形成装置では、ＰｏＥ機能を有した機器とＬＡＮボード７がＬＡＮケーブルにより接続され、電力供給部２００へ給電される。以降、ＰｏＥ機能を有した、例えばハブ等の機器からＬＡＮケーブル、ＬＡＮボード７を介して電力供給部２００へ給電されていることを、単にＬＡＮ７から給電されているという。
【００１６】
次に、プリンタ部９００について説明する。プリンタ部９００は、感光ドラム９０１ｙを有し、感光ドラム９０１ｙは反時計回り方向（図中、矢印方向）に回転している。一次帯電ローラー９０２ｙは、感光ドラム９０１ｙの表面を均一に帯電する。レーザーユニット９０３ｙは、一次帯電ローラー９０２ｙにより均一に帯電された感光ドラム９０１ｙの表面に、レーザー光を照射し、感光ドラム９０１ｙの表面が露光され、潜像画像が形成される。
【００１７】
感光ドラム９０１ｙが反時計回り方向に回転することにより、感光ドラム９０１ｙの表面は現像スリーブ９０４ｙを通過し、感光ドラム９０１ｙ上に形成された潜像画像が、イエローのトナーによって現像され、トナー像が形成される。感光ドラム９０１ｙの回転により、感光ドラム９０１ｙの表面は中間転写ベルト９０６と接する。一次転写ローラー９０５ｙには電圧が印加され、感光ドラム９０１ｙの表面に現像されたイエローのトナー像が、中間転写ベルト９０６の表面に転写される。同様にしてマゼンタ（図中、ｍの添え字を付す）、シアン（図中、ｃの添え字を付す）、ブラック（図中、ｋの添え字を付す）のトナー像が、中間転写ベルト９０６の表面に重畳して転写される。尚、マゼンタ、シアン、ブラックの各トナー像は、上述したイエローのトナー像と同様に形成されるため、説明を省略する。
【００１８】
このようにして中間転写ベルト９０６には、イエローとマゼンタとシアンとブラックのトナーで形成されたフルカラーの画像が形成される。そして、中間転写ベルト９０６が二次転写内ローラー９０７と二次転写外ローラー９０８を通過する。その際、中間転写ベルト９０６と二次転写外ローラー９０８の間を、用紙カセット９１０から給紙された用紙９１３が挟持搬送され、中間転写ベルト９０６上のフルカラーの画像が、用紙９１３の表面に転写される。フルカラーの画像が形成された用紙９１３は定着器９１１に搬送され、定着器９１１により加熱、加圧されることで、溶融したトナーが用紙９１３の表面に張り付き定着される。定着器９１１を通過した用紙９１３は、画像形成装置の外に排紙される。
【００１９】
電力計３００は、商用交流電源（以下、単に商用電源という）から画像形成装置に印加される電圧値と画像形成装置に流れる電流値を測定し、画像形成装置全体の消費電力値を計算しており、計算した消費電力値に関する情報をコントローラ部１０７に出力している。コントローラ部１０７に入力された画像形成装置全体の消費電力値は、ＬＡＮ７を介して外部から読み出すことが可能となる。これにより、例えば、コントローラ部１０７は、消費電力値に関する情報を不図示の表示部に表示してユーザーに節電を促すことができる。また、コントローラ部１０７は、ＬＡＮ７を介して、電力消費状況を監視制御するマネージメントシステムに、消費電力値に関する情報を送信することができる。
【００２０】
［電力供給部、電力計及び電源スイッチ］
本実施例の画像形成装置における電源装置でもある電力供給部２００、電力計３００及び電源スイッチ４００の構成を図２に示す。尚、図１で説明した構成には同じ符号を付し、説明は省略する。まず、電源スイッチ４００は、ユーザーにより画像形成装置の電源のオン、オフが行われるスイッチである。電源スイッチ４００がオンとなることで、商用電源から画像形成装置へ電力が供給される。
【００２１】
（電力供給部）
電力供給部２００は、変換手段であるＡＣ／ＤＣコンバータ２０１と、受電手段であるＬＡＮ給電受電部２０３と、レギュレータ２０２と、から構成される。ＡＣ／ＤＣコンバータ２０１は、商用電源の交流電圧を直流電圧に変換し、コントローラ部１０７や画像形成装置内の負荷１０８に直流電圧を供給する。ＬＡＮ給電受電部２０３は、ＬＡＮ７からの給電を受電する。レギュレータ２０２は、ＡＣ／ＤＣコンバータ２０１から出力される直流電圧又はＬＡＮ給電受電部２０３から供給される直流電圧から、電力計３００の電流センサ３０１とマイクロコンピュータ３０３の動作に必要な直流電圧を生成する。レギュレータ２０２は、ＡＣ／ＤＣコンバータ２０１から出力される直流電圧と、ＬＡＮ給電受電部２０３から供給される直流電圧の、少なくともいずれか一方から給電された場合に、電力計３００の動作に必要な直流電圧を出力する。ここで、ＡＣ／ＤＣコンバータ２０１から出力される直流電圧と、ＬＡＮ給電受電部２０３から供給される直流電圧の、どちらか一方のみ又は両方からレギュレータ２０２に給電されている場合、一方から他方に影響を与えないようにする必要がある。このため、ＡＣ／ＤＣコンバータ２０１のレギュレータ２０２への出力部にはダイオード２０５が、ＬＡＮ給電受電部２０３のレギュレータ２０２への出力部にはダイオード２０６が接続されている。レギュレータ２０２から出力された直流電圧は、マイクロコンピュータ３０３の電源入力端子（ＶＤＤと図示、以下同じ）と、電流センサ３０１の電源入力端子に入力される。
【００２２】
（電力計）
次に、電力計３００について説明する。電力計３００は、画像形成装置の電流値を検知する電流検知手段である電流センサ３０１と、商用電源の電圧を検知する電圧検知手段である電圧センサ３０２と、マイクロコンピュータ３０３と、スイッチ手段であるリレースイッチ３０４とから構成される。電流センサ３０１は、例えば、ホール素子で構成されたものがあげられる。電流センサ３０１の出力端子（ＯＵＴと図示、以下同じ）から出力された検知結果と、電圧センサ３０２の出力端子から出力された検知結果は、それぞれマイクロコンピュータ３０３のＡ／Ｄ変換入力端子に入力される。図２には不図示であるが、マイクロコンピュータ３０３は、各種のプログラムを実行するＣＰＵ、一時的にデータを記憶するＲＡＭ、ＣＰＵが実行する各種プログラムが格納されたＲＯＭを有している。マイクロコンピュータ３０３は、Ａ／Ｄ変換入力端子（Ａ／Ｄと図示、以下同じ）に入力された電流センサ３０１と電圧センサ３０２の測定結果をＡＤ変換し、電力値を演算する。そして、マイクロコンピュータ３０３は、演算した電力値を、コントローラ部１０７へ出力する。
【００２３】
また、リレースイッチ３０４は、ノーマルクローズ方式のリレースイッチである。リレースイッチ３０４は、マイクロコンピュータ３０３のＰ１端子から信号が出力されていないときは導通状態であり、マイクロコンピュータ３０３のＰ１端子から信号が出力されているときは遮断状態となる。尚、本実施例では、リレースイッチ３０４は両切り構成としているが、電流センサ３０１側のみリレースイッチ３０４を設置する片切り方式の構成でもよい。
【００２４】
［被検知電流の実効値の演算］
ここで、決定手段であるマイクロコンピュータ３０３が電流センサ３０１の測定結果から被検知電流の実効値を演算する際の考え方を、図３を用いて説明する。図３は、横軸が時間（ｔ）、縦軸が電流センサの出力電圧（Ｖ）を示すグラフである。尚、マイクロコンピュータ３０３によるＡ／Ｄ変換のリファレンス電圧は、電源電圧であるものとする。電流センサ３０１が出力する被検知電流がゼロ（０Ａ）のときの出力電圧は、マイクロコンピュータ３０３の接地レベルとリファレンス電圧の中間の値に設定され、理想的にはリファレンス電圧の１／２の値とする。また、電流センサ３０１感度は、１００ｍＶ／Ａとする。商用電源が５０Ｈｚ（ヘルツ）である場合、図３のように商用電源の交流電圧波形の１周期に相当する２０ｍｓ（ミリ秒）の区間を設定する。この区間の中で、電流センサ３０１の出力のサンプリングを７８．１２５μｓ（マイクロ秒）毎に２５６回行うこととする。ここで、各サンプリング時におけるＡ／Ｄ変換後の電流の絶対値をＩ（ｎ）とする。このとき、電流センサ３０１の出力電圧のＡ／Ｄ変換後の値をＳＯ（ｎ）、オフセット電圧をＩ＿ｏｆｆｓｅｔとすると、Ｉ＿ｏｆｆｓｅｔよりもＳＯ（ｎ）の方が大きい場合はＩ（ｎ）＝ＳＯ（ｎ）−Ｉ＿ｏｆｆｓｅｔとなる。一方、オフセット電圧Ｉ＿ｏｆｆｓｅｔよりもＳＯ（ｎ）の方が小さい場合はＩ（ｎ）＝Ｉ＿ｏｆｆｓｅｔ−ＳＯ（ｎ）となる。ここでいうオフセット電圧とは、リファレンス電圧の１／２の値に誤差（オフセット値）を加えたものである。
【００２５】
よって、Ｉ（ｎ）を用いて、被検知電流の実効値を表すと、
√（Ｉ（０）×Ｉ（０）＋・・・＋Ｉ（２５５）×Ｉ（２５５））／２５６
となる。
【００２６】
マイクロコンピュータ３０３に具備されているＡ／Ｄ変換器が１０ビットの場合、マイクロコンピュータ３０３のリファレンス電圧、すなわちマイクロコンピュータ３０３への入力電圧は１０２４となる。よって、被検知電流が０Ａのときの電圧は、前述のようにマイクロコンピュータ３０３の接地レベル（０とする）とリファレンス電圧の中間の値となるので、理想的には５１２に相当する。しかしながら、前述のように、オフセット電圧は温度等の環境変化やセンサを構成する部材の特性のばらつきにより、誤差（オフセット値）が生じる場合があり、Ａ／Ｄ変換後のサンプル値も５１２に対して誤差が生じることがある。よって、オフセット電圧Ｉ＿ｏｆｆｓｅｔを５１２として電流実効値を演算すると、各サンプリング時におけるＡ／Ｄ変換後の電流の絶対値Ｉ（ｎ）に誤差が生じ、Ｉ（ｎ）を用いて算出される被検知電流の実効値にも誤差が含まれてしまう。このため、電流センサ３０１のオフセット電圧Ｉ＿ｏｆｆｓｅｔの補正が必要となる。
【００２７】
［オフセット電圧の補正］
本実施例の画像形成装置において、電流センサ３０１のオフセット電圧（上述したＩ＿ｏｆｆｓｅｔ）の補正を行う際の動作について説明する。尚、電流センサ３０１のオフセット電圧とは、被検知電流が０Ａのときに電流センサ３０１が出力する電圧値をいう。本実施例では、電流センサ３０１のオフセット電圧の補正が、画像形成装置の電源投入直後に行われる場合のマイクロコンピュータ３０３の一連の動作について、図４のフローチャートを用いて説明する。まず、電源スイッチ４００がオンされ、画像形成装置の電源が投入されると、マイクロコンピュータ３０３は、ステップ（以下、Ｓとする）１以下の処理を開始する。尚、上述したように、リレースイッチ３０４は、マイクロコンピュータ３０３のＰ１端子から信号が出力されていないときは導通状態となっている。このため、電源スイッチ４００がオンになると、ＡＣ／ＤＣコンバータ２０１に交流電圧が供給され、ＡＣ／ＤＣコンバータ２０１は直流電圧を出力する。これにより、マイクロコンピュータ３０３は、ダイオード２０５及びレギュレータ２０２を介して、ＡＣ／ＤＣコンバータ２０１から電力を供給され、起動される。また、電流センサ３０１にも、ダイオード２０５及びレギュレータ２０２を介して、ＡＣ／ＤＣコンバータ２０１から電力が供給される。
【００２８】
Ｓ１でマイクロコンピュータ３０３は、コントローラ部１０７によりＬＡＮ７が公衆回線８を介して外部のネットワークに接続されているか否かを判断する。尚、ＬＡＮ７が外部のネットワークに接続されているか否かの判断は、例えば発行手段であるコントローラ部１０７が、ｐｉｎｇコマンドを発行（送信）し、所定の応答があるか否かに基づいて行われる。ここで、ｐｉｎｇコマンドは、ＬＡＮケーブルがネットワークに接続されていることを確認するためのコマンドである。Ｓ１でマイクロコンピュータ３０３は、ＬＡＮ７が外部のネットワークに接続されていないと判断した場合、Ｓ２の処理に進む。Ｓ２でマイクロコンピュータ３０３は、被検知電流の実効値の演算に、マイクロコンピュータ３０３の不図示の記憶手段である不揮発性メモリに記憶されている、前回の電流センサ３０１のオフセット電圧の補正の結果を用いることとし、Ｓ７の処理に進む。ここで、前回のオフセット電圧とは、これまでに画像形成装置の電源が投入された際に行われた、後述するＳ３〜Ｓ６のオフセット電圧の補正処理において、後述するＳ５で算出し不揮発性メモリに記憶されることにより更新されたオフセット電圧である。尚、不揮発性メモリには、初期値として、例えば、図７の実線に示すような、電流センサ３０１の被検知電流と出力電圧が理想的な関係を満たしている場合の値（２．５Ｖ等）が記憶されているものとする。
【００２９】
一方、Ｓ１でマイクロコンピュータ３０３は、ＬＡＮ７が外部のネットワークに接続されていると判断した場合は、Ｓ３の処理に進む。尚、上述したように、本実施例では、ＬＡＮ７が接続されている場合には、ＰｏＥ技術を用いたＬＡＮ給電が行われる。ここで、ＬＡＮ給電により供給される電圧は、ＡＣ／ＤＣコンバータ２０１から出力される電圧より高い。このため、Ｓ１でマイクロコンピュータ３０３によりＬＡＮ７が接続されていると判断されると、マイクロコンピュータ３０３及び電流センサ３０１は、ＬＡＮ給電受電部２０３から電力を供給されることとなる。Ｓ３でマイクロコンピュータ３０３は、Ｐ１端子から信号を出力し、リレースイッチ３０４を遮断状態にする。リレースイッチ３０４が遮断状態になると、ＡＣ／ＤＣコンバータ２０１には電力が供給されず、ＡＣ／ＤＣコンバータ２０１の出力も停止する。このため、レギュレータ２０２には、ＬＡＮ７からＬＡＮ給電受電部２０３を介した電力供給のみが行われる。このように、ＡＣ／ＤＣコンバータ２０１の出力は停止したものの、レギュレータ２０２からは、引き続きマイクロコンピュータ３０３及び電流センサ３０１へ給電がなされる。
【００３０】
Ｓ４でマイクロコンピュータ３０３は、電流センサ３０１の出力を所定回数、測定する。ここで、リレースイッチ３０４は遮断されているため、電流センサ３０１には電流は流れていない。Ｓ５でマイクロコンピュータ３０３は、Ｓ４のサンプリングの平均値を、電流センサ３０１のオフセット電圧として、マイクロコンピュータ３０３の不揮発性メモリに記憶する。具体的には、マイクロコンピュータ３０３は、電流センサ３０１の出力をＡ／Ｄ変換した値を、所定回数サンプリングする。例えば、マイクロコンピュータ３０３は、２０μｓ間隔で、２５６回のサンプリングとＡ／Ｄ変換を行う場合、各サンプリング時の電流センサの測定結果Ｉ＿Ｖｏを加算する。即ち、マイクロコンピュータ３０３は、Ｉ＿Ｖｏ（０）＋・・・・＋Ｉ＿Ｖｏ（２５５）を算出する。そして、マイクロコンピュータ３０３は、算出した加算結果をサンプリング回数である２５６で除算した値、即ちサンプリングの平均値を、電流センサ３０１のオフセット電圧として、不図示の不揮発性メモリに記憶する。例えば、マイクロコンピュータ３０３が各サンプリング時の測定結果を加算した結果を２５６で除算した値が２．５５Ｖであった場合には、電流センサ３０１のオフセット電圧として、２．５５Ｖを不図示の不揮発性メモリに記憶する。
【００３１】
Ｓ６でマイクロコンピュータ３０３は、マイクロコンピュータ３０３のＰ１端子からの信号の出力を停止する。上述したように、マイクロコンピュータ３０３のＰ１端子からの信号の出力が停止すると、リレースイッチ３０４が導通状態となる。これにより、電流センサ３０１に電流が流れるようになって、マイクロコンピュータ３０３は、電流センサ３０１により通常の電流値の測定ができる状態となり、Ｓ７で画像形成装置のウォームアップ動作を実施する。Ｓ７のウォームアップ動作が終了すると、Ｓ８でマイクロコンピュータ３０３は、画像形成動作が可能な状態であるスタンバイモードとなる。そして、Ｓ９でマイクロコンピュータ３０３は、画像形成動作要求（即ち、コピー要求）があるか否かを判断する。Ｓ９でマイクロコンピュータ３０３は、画像形成動作要求があると判断すると、Ｓ１０で画像形成動作を行い、画像形成動作が終了するとＳ８の処理に戻る。Ｓ９でマイクロコンピュータ３０３は、画像形成動作要求がないと判断すると、Ｓ１１で終了処理の指示があるか否かを判断する。Ｓ１１でマイクロコンピュータ３０３は、終了処理の指示がないと判断した場合、Ｓ８の処理に戻る。一方、Ｓ１１でマイクロコンピュータ３０３は、終了処理の指示があったと判断した場合、Ｓ１２で終了処理を行う。
【００３２】
以上説明したように、本実施例によれば、画像形成装置が電源投入された直後で、且つウォームアップ動作前に、電流センサ３０１に流れる電流を０Ａとした状態で、電流センサ３０１のオフセット電圧の補正を行うことができる。具体的には、電流センサ３０１のオフセット電圧の補正を行う場合には、マイクロコンピュータ３０３及び電流センサ３０１への電力供給は、商用電源からは行わず、ＬＡＮ給電により行う。これにより、電流センサ３０１の測定精度が向上し、精度よく電流測定を行うことが可能となり、画像形成装置の電力測定も精度よく行うことが可能となる。
【００３３】
以上、本実施例によれば、電流センサの出力値の補正の精度を向上させることができる。
【実施例２】
【００３４】
実施例１では、ＬＡＮ７がネットワークに接続されている場合に、電流センサ３０１のオフセット電圧の補正を行う構成である。一方、実施例２は、画像形成装置が電源投入された後、マイクロコンピュータ３０３が、ＬＡＮ給電受電部２０３により所定の電圧が出力されているか否かを確認する構成である。マイクロコンピュータ３０３は、ＬＡＮ給電受電部２０３が所定の電圧を出力していると判断した場合に、ＬＡＮ給電が行われているものと判断し、被検知電流が０Ａのときの電流センサ３０１のオフセット電圧の補正を行う。一方、マイクロコンピュータ３０３は、ＬＡＮ給電受電部２０３が所定の電圧を出力していないと判断した場合は、ＬＡＮ給電が行われていないと判断する。そして、マイクロコンピュータ３０３は、不図示の不揮発性メモリに記憶されている前回の画像形成装置の電流値が０Ａのときの電流センサ３０１のオフセット電圧を用いて、画像形成装置の電流測定を行う。以下、本実施例の構成を詳しく説明する。
【００３５】
［電力供給部、電力計及び電源スイッチ］
実施例２の電力供給部２００と電力計３００と電源スイッチ４００の構成を図５に示す。図５では、ＬＡＮ給電受電部２０３の出力部とマイクロコンピュータ３０３の間に、電圧変換レギュレータ２０４が接続されている。電圧変換レギュレータ２０４は、ＬＡＮ給電受電部２０３の出力電圧を、マイクロコンピュータ３０３で検知可能な電圧に変換している。マイクロコンピュータ３０３は、ＬＡＮ給電受電部２０３の出力電圧を検知しており、検知した電圧に基づいて、画像形成装置のウォームアップ動作前に画像形成装置の電流値が０Ａのときの電流センサ３０１の出力電圧の補正を行うか否かを判断する。これ以外の構成に関しては、実施例１の図２の構成と同じであるため、同じ符号を付し、説明は省略する。
【００３６】
［オフセット電圧の補正］
図６のフローチャートを用いて画像形成装置の電流値が０Ａのときの電流センサ３０１のオフセット電圧の補正を行う際のマイクロコンピュータ３０３の動作について説明する。
【００３７】
まず、電源スイッチ４００がオンされ、画像形成装置の電源が投入されると、実施例１と同様に、マイクロコンピュータ３０３はＳ２１以下の処理を開始する。Ｓ２１でマイクロコンピュータ３０３は、電圧変換レギュレータ２０４を介してＬＡＮ給電受電部２０３の出力電圧を検知し、ＬＡＮ給電受電部２０３の出力電圧が、所定の電圧以上か否かを判断する。Ｓ２１でマイクロコンピュータ３０３は、ＬＡＮ給電受電部２０３の出力電圧が、所定の電圧以上であると判断した場合、ＬＡＮ給電が行われていると判断し、Ｓ２３でオフセット電圧の補正を実施する。尚、電流センサ３０１の電流値が０Ａのときの補正は、実施例１の図４で説明したＳ３〜Ｓ６で説明した処理と同じであるため、説明は省略する。
【００３８】
Ｓ２１でマイクロコンピュータ３０３は、ＬＡＮ給電受電部２０３の出力電圧が所定の電圧未満であると判断した場合、ＬＡＮ給電が行われていないと判断し、Ｓ２２の処理に進む。Ｓ２２でマイクロコンピュータ３０３は、マイクロコンピュータ３０３の不図示の不揮発性メモリに記憶されている前回の電流センサ３０１のオフセット電圧の補正値を用いる。Ｓ２４でマイクロコンピュータ３０３は、画像形成装置のウォームアップ動作を開始し、ウォームアップ動作が終了すると、Ｓ２５の処理に進む。尚、Ｓ２５〜Ｓ２９の処理は、実施例１の図４で説明したＳ８〜Ｓ１２の処理と同じであるため、説明は省略する。
【００３９】
以上説明したように、本実施例によれば、ＬＡＮ給電が行われている場合には、被検知電流が０Ａの状態で電流センサ３０１のオフセット電圧の補正を行うことができる。また、ＬＡＮ給電が行われない場合でも、前回の画像形成装置の電流センサ３０１のときのオフセット電圧を使用して電流検知を行うことができる。更に、本実施例では、ＬＡＮ７がネットワークに接続されているが、ＰｏＥ技術に対応していない機器を使用している場合には、ＬＡＮ給電受電部２０３からの出力電圧が所定の電圧未満なので、ＬＡＮ給電が行われていないと判断することができる。そして、本実施例では、ＰｏＥ技術に対応していない機器を使用している場合には、電流センサ３０１のオフセット電圧の補正は行わず、不揮発性メモリに記憶された前回のオフセット電圧を使用して電流検知を行うことができる。これにより、画像形成装置の電流センサ３０１のオフセット電圧の誤差が少ない状態で電流検知を行うことが可能となり、画像形成装置の電力量の測定も誤差が少ない状態で行うことが可能となる。
【００４０】
以上、本実施例によれば、電流センサの出力値の補正の精度を向上させることができる。
【００４１】
尚、上述した実施例では、複数のサンプリングの結果の平均値を求めることによりオフセット電圧の演算を行ったが、例えば１回のサンプリングの結果をオフセット電圧として決定したり、ハードウェア回路によってオフセット電圧を決定したりしてもよい。このような構成とすることによっても、電流センサの出力値の補正の精度を向上させることができる。
【符号の説明】
【００４２】
２０１  ＡＣ／ＤＣコンバータ
２０３  ＬＡＮ給電受電部
３０１  電流センサ
３０３  マイクロコンピュータ
３０４  リレースイッチ
【図１】
2014206485.tif 000003
【図２】
2014206485.tif 000004
【図３】
2014206485.tif 000005
【図４】
2014206485.tif 000006
【図５】
2014206485.tif 000007
【図６】
2014206485.tif 000008
【図７】
2014206485.tif 000009